【事件の表示】
　平成６年特許願第２１３７４９号「撮影装置」拒絶査定不服審判事件〔平成８年３月２２日出願公開、特開平８−７６１６２〕について、次のとおり審決する。
【結　論】
　本件審判の請求は、成り立たない。
【理　由】
第１　手続の経緯
　本願は、平成６年９月７日に出願された特願平６−２１３７４９号に係り、原審において平成１５年１１月１７日付の拒絶理由を通知したところ、平成１６年１月３０日に意見書とともに明細書を補正する手続補正書が提出され、平成１６年２月２３日付で拒絶査定され、その後、前記拒絶査定に対し査定不服審判が平成１６年４月１日に請求されるとともに、平成１６年４月２８日付の明細書を補正する手続補正書が提出され、当審において、前記平成１６年４月２８日付の手続補正に対し平成１８年２月２４日付で補正の却下の決定をするとともに、平成１６年１月３０日付の手続補正により補正された明細書の特許請求の範囲に記載された請求項１ないし請求項４に係る発明に対し、当審が平成１８年２月２４日付の拒絶理由を通知したところ、平成１８年４月２８日に意見書とともに同日付の明細書を補正する手続補正書が提出されたものである。
　
第２　当審が通知した平成１８年２月２４日付の拒絶理由の内容
　当審が平成１８年２月２４日付で通知した拒絶理由は、その内容の概略が次のとおりのものである。
「平成１６年４月２８日付の手続補正は却下されたので、本願発明は、同年１月３０日付手続補正書の特許請求の範囲の請求項１ないし請求項４に記載された事項により特定されるとおりのものである。
　本件出願の請求項１ないし請求項４に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。
  　　　　　　　　　　　　　　　　記
　１．特開平４−１１０８３５号公報
　２．特開平５−１０７６１９号公報
　３．特開平５−２２４２７０号公報
　４．特開平２−２８０１３１号公報
　５．実願平４−６２８５１号（実開平６−１６９４６号）のＣＤ−ＲＯＭ
　６．特開平６−１９
７４
４７
　
第３　審判請求人がした平成１８年４月２８日付の手続補正の内容
　当審が通知した平成１８年２月２４日付の拒絶理由に対して、審判請求人が平成１８年４月２８日付でした手続補正による特許請求の範囲についての補正は、次のとおりのものである。
　平成１６年１月３０日付の手続補正により補正された明細書の特許請求の範囲の請求項１ないし請求項４の記載を、
「【請求項１】　手振れを検出する振れ検出部と、
　撮影光学系の少なくとも一部を移動させて、振れ補正を行う振れ補正光学系と、
　前記振れ補正光学系を駆動して振れ補正を行う振れ補正駆動部と、
　前記振れ検出部からの出力に基づいて、前記振れ補正駆動部の動作を制御する振れ補正制御部と、
　振れ補正を行うか否かを設定する振れ補正作動スイッチと、
　撮影準備動作を開始させる撮影準備作動スイッチと、
　前記撮影準備作動スイッチのオン動作により、前記撮影準備動作が開始された後に、その撮影準備作動スイッチのオフ状態が継続している時間をカウントしてそのカウント時間が設定された時間に達したときに、前記撮影準備動作を停止する撮影準備停止タイマーとを備えた撮影装置において、
　前記撮影準備作動スイッチのオフ状態が継続している前記カウント中は前記振れ補正駆動部の動作を継続し、前記撮影準備停止タイマーのカウント時間が前記設定された時間に達したときに前記振れ補正駆動部の動作を停止することを特徴とする撮影装置。
　【請求項２】　請求項１に記載の撮影装置において、
　前記振れ補正の実行中に前記撮影準備停止タイマーが開始した場合に、前記撮影準備作動スイッチのオンによって前記撮影準備停止タイマーのリセットを行うことを特徴とする撮影装置。
　【請求項３】　請求項１に記載の撮影装置において、
　前記振れ補正の実行中に前記撮影準備停止タイマーが開始した場合に、前記撮影準備作動スイッチのオンによって前記撮影準備停止タイマーのリセットを行い、かつ、前記振れ補正作動スイッチのオフにより前記撮影準備動作と前記振れ補正を停止することを特徴とする撮影装置。
　【請求項４】　請求項１から請求項３のいずれか１項に記載の撮影装置において、
　前記振れ補正作動スイッチにより前記振れ補正が選択され、前記振れ補正の実行中に前記撮影準備停止タイマーが開始した場合に、前記撮影準備作動スイッチのオンによって、
　前記撮影準備停止タイマーのリセットを行う第１のモードと、
　前記振れ補正作動スイッチにより前記振れ補正が選択され、前記振れ補正の実行中に前記撮影準備停止タイマーが開始した場合に、前記撮影準備作動スイッチのオンによって前記撮影準備停止タイマーのリセットを行い、かつ、前記振れ補正作動スイッチのオフにより撮影準備動作と振れ補正を停止する第２のモードと、を選択可能な選択スイッチを備えたことを特徴とする撮影装置。」
と補正する。
　
第４　当審の判断
１　本願発明
　本願の請求項１に係る発明（以下、これを「
本願発明１
「手振れを検出する振れ検出部と、
　撮影光学系の少なくとも一部を移動させて、振れ補正を行う振れ補正光学系と、
　前記振れ補正光学系を駆動して振れ補正を行う振れ補正駆動部と、
　前記振れ検出部からの出力に基づいて、前記振れ補正駆動部の動作を制御する振れ補正制御部と、
　振れ補正を行うか否かを設定する振れ補正作動スイッチと、
　撮影準備動作を開始させる撮影準備作動スイッチと、
　前記撮影準備作動スイッチのオン動作により、前記撮影準備動作が開始された後に、その撮影準備作動スイッチのオフ状態が継続している時間をカウントしてそのカウント時間が設定された時間に達したときに、前記撮影準備動作を停止する撮影準備停止タイマーとを備えた撮影装置において、
　前記撮影準備作動スイッチのオフ状態が継続している前記カウント中は前記振れ補正駆動部の動作を継続し、前記撮影準備停止タイマーのカウント時間が前記設定された時間に達したときに前記振れ補正駆動部の動作を停止することを特徴とする撮影装置。」
　
２　特許法第２９条第２項違反について
（１）引用刊行物等及びその記載事項
　
引用刊行物１
　
引用刊行物２
　
引用刊行物３
　
引用刊行物４
　
周知技術文献
　　
ア　当審が通知した平成１８年２月２４日付の拒絶理由の中で「引用例２」として提示した上記特開平５−１０７６１９号公報（以下、「
引用刊行物１
「【特許請求の範囲】【請求項１】　ブレ検出用のイメージセンサと、そのイメージセンサが出力する撮像データに基づいて、被写体像のブレのデータを演算する演算手段と、その演算手段が出力するブレのデータに基づいて、カメラの撮影光学系の一部を駆動してブレ補正を行なうブレ補正手段と、撮影レンズの焦点距離情報を入力する入力手段と、前記焦点距離情報に基づいて、ブレ検出及び補正の周期を決定する周期決定手段と、を備えたことを特徴とするブレ検出及び補正が可能なカメラ。」
「【０００１】【産業上の利用分野】　本発明は被写体像のブレを検出し、フィルム露光中に撮影光学系の少なくとも一部を駆動して被写体像のブレを補正し、ブレのない写真を撮影するブレ検出及び補正が可能なカメラに関する。」
「【００１３】【実施例】　以下この発明の実施例を図面を参照して説明する。図１はこの発明に係るブレ検出カメラの主要部を示すブロック図である。
　【００１４】　図１を参照して、測光用ＳＰＤ（Silicon Photodiode）２からの信号は測光回路３に入力される。測光回路３は、ＳＰＤ２の出力を演算し、メインＣＰＵ１へ演算結果を出力する。撮影レンズ４は交換可能であり、絞り駆動手段５および焦点調節駆動手段６を通して絞りの駆動および焦点調節が行なわれる。撮影レンズ回路７には、撮影レンズ４に固有のレンズのＦ値、焦点距離、ブレ補正のための各種パラメータが記憶される。撮影レンズ回路７にはさらに、ブレ補正用の光学系を駆動するアクチュエータおよびその制御回路も内蔵されている。
　【００１５】　ＡＦ検出ミラー８は、位相差型ＡＦ検出モジュール１３へ撮影レンズ４を通った光束の一部を導く。ＡＦ検出ミラー８はフィルム露光時にフィルムへの光を遮らないようにＡＦ検出ミラー駆動手段９により退避される。フォーカルプレーンシャッタのシャッタ幕１０は、先幕および後幕を含み、シャッタ幕駆動手段１１によって駆動される。スイッチＳ１はシャッタボタンの第１ストロークでＯＮし、測光およびＡＦ動作を行なう。スイッチＳ２はシャッタボタンの第２ストロークでＯＮする。フィルム巻上げ手段１４は、フィルムの巻上げ、巻戻しを行なう。スイッチＳＣは連写モードを作動するためのスイッチである。
　【００１６】　ブレ検出光学系１８は後述のブレ検出用のＣＣＤに光を導くための光学系である。
　【００１７】　１２は手ブレの検出及び補正を行うための手ブレ検出補正手段である。１２はブレ演算を行うための演算器やブレ補正光学系を制御するためのコントロールＣＰＵを有する。この手ブレ検出補正手段１２については後に詳しく説明する。
　【００１８】　メインＣＰＵ１にはさらに、測光値によって定まる露光量に対し、露出補正を行なうための露出補正量入力手段１６と、フィルム感度を設定するためのフィルム感度設定手段１７とが接続される。
　【００１９】　図２はこの発明に係るブレ検出カメラの光学系を示す図である。図２を参照して、撮影レンズは４は、ブレ補正レンズ２０と、ブレ補正レンズ２０を移動するためのブレ補正レンズ駆動装置２１とを含む。なお、補正レンズ駆動装置２１の詳細については公知であるのでその説明は省略する。カメラボディ３２内にはペリクルミラー２２が固定されており、撮影レンズ４を通った光束の一部がファインダ光学系の方へ反射され、残りがシャッタ幕１０の方へ透過される。ペリクルミラー２２を透過した光束の一部は、ＡＦ検出ミラー８により位相差ＡＦ検出モジュール２４の方へ導かれる。ＡＦ検出ミラー８は、フィルム露光時にはフィルム上に到達する露光中の光束を遮らないような位置までＡＦ検出ミラー駆動手段９（不図示）により退避される。
　【００２０】　ペリクルミラー２２により反射された光束は、コンデンサレンズ２５を透過してペンタプリズム２６に入る。ペンタプリズム２６の接眼レンズ２７側には測光ＳＰＤ２が設けられる。ペンタプリズム２６の１つの面２６ａは、ハーフミラーになっており、入射光束の一部をベンタプリズム２６の外へ取出す。取出された光束はブレ検出光学系１８を通り反射鏡２８で反射されてブレ検出センサ２９へ達する。ブレ検出光学系１８はファインダ焦点面３０上の像をブレ検出センサ２９上に再結像する。ブレ検出センサ２９はＣＣＤエリアセンサである。なお、ペンタプリズム２６は、ガラスブロックタイプだけではなく、中が空気層となっている中空ペンタミラーのようなものでもよい。
　【００２１】　以上のようにこの発明においては、ベリクルミラー２２を用いて被写体の光をブレ検出センサとなるエリアセンサ２９へ伝えるようにしたため、ＴＴＬ方式のカメラにおいて画像検出方式でブレ検出が行なわれる。さらに、ブレ検出センサ２９までの光路中にペンタプリズム２６を利用しているため、ブレ検出センサ２９までの光路を別に設ける必要がない。」
「【００２５】　次に図４を参照して手ブレ検出補正手段１２の内容を説明する。手ブレ検出センサ２９はＣＣＤ撮像部４１と、ＣＣＤ出力を増幅する出力アンプ４２と、ＣＣＤの積分時間を制御するための照度モニタ４３と、測光回路４４とを含む。クロックジェネレータ４５は、測光回路４４の出力を検知してＣＣＤの積分時間および出力アンプのゲインを設定する。また、クロックジェネレータ４５はＣＣＤの駆動クロック、Ａ／Ｄコンバータ５１、Ｄ／Ａコンバータ４８、感度ばらつき補正メモリ４９、暗出力補正メモリ５０のクロックも発生する。ブレ検出センサ２９の出力は、差動アンプ４６およびゲインコントロールアンプ４７を通ってＡ／Ｄコンバータ５１へ入力される。暗出力補正メモリ５０、感度ばらつき補正メモリ４９にはそれぞれＣＣＤの感度ばらつき、暗出力の補正のためのデータが記憶されている。暗出力補正メモリ５０は、Ｄ／Ａコンバータ４８に対しデータを出力する。Ｄ／Ａ変換の出力信号は、差動アンプ４６の差動入力に入力される。これによりＣＣＤ４１の暗出力は補正される。ゲインコントロールアンプ４７はデジタル信号により増幅度が制御されるアンプである。ゲインコントロールアンプ４７は感度ばらつき補正メモリ４９に記憶されている感度ばらつき補正データにより制御され、ＣＣＤ出力の感度ばらつきを補正する。
　【００２６】　Ａ／Ｄコンバータ５１の出力信号は、基準部メモリ５２または参照部メモリ５３に記憶される。アドレス生成器５４は基準部メモリ５２、参照部メモリ５３の各メモリの動作に必要なアドレスデータを発生させる。
　【００２７】　演算器５５は減算回路５６と、絶対値回路５７と、加算回路５８とレジスタ５９とを含む。基準部メモリ５２および参照部メモリ５３のデータが入力として与えられる。
　【００２８】　演算器５５からの演算結果は、演算の種類により相関結果メモリ６０、縦コントラストメモリ６１または横コントラストメモリ６２のどれかに記憶される。これらのメモリは、コントロールＣＰＵ６３に接続されており、コントロールＣＰＵ６３からアクセスできる。コントロールＣＰＵ６３は、アドレス生成器５４およびクロックジェネレータ４５の制御も行なう。」
「【０１０９】　以上説明したブレ検出及び補正を含めたカメラのシーケンスを、メインＣＰＵ及びブレ補正のコントロールＣＰＵのフローチャートに基づいて説明する。
　【０１１０】　まずメインＣＰＵ１のシーケンスについて説明する。図１３を参照して、ステップ＃５（以下ステップを略す）のループでメインＣＰＵは待機状態にある。すなわち、＃５のループによって、レリーズボタンの第１ストロークでスイッチＳ１がオンになるのを待っている。スイッチＳ１がオンになると、ＡＦ完了フラグＡＦＥＦ及び信号がリセットされ（＃１０）、測光回路３、ＡＦ検出モジュール１３、手ブレ補正コントローラー１５など必要な回路の電源が投入される（＃１５）。次に補正レンズ２０の原点復帰信号が撮影レンズ４へ出力され（＃２０）、タイマがリセットされた後、スタートされ（＃２５）、撮影レンズ４のレンズデータが入力される。レンズデータ入力後、撮影レンズ４の焦点距離ｆＬに適した補正周期ＴＳが決定され（＃３２）、開放測光が行なわれる（＃３５）。なお焦点距離ｆＬとＴＳの対応は既に述べたように、ｆＬ＜５０ｍｍではＴＳ＝１０ｍｓ、５０ｍｍ≦ｆＬ＜２００ｍｍではＴＳ＝５ｍｓ、２００ｍｍ≦ｆＬではＴＳ＝２．５ｍｓと決定する。
　【０１１１】　＃４０ではＡＦ完了フラグＡＦＥＦが１かどうかが判断され、１であればプログラムは＃６５へジャンプし、１でなければプログラムは＃４５へ進む。＃４５ではＡＦ検出が行なわれる。＃５０では、＃４５のＡＦ検出の結果合焦しているかどうかが判断される。合焦していればプログラムは＃５５へ行き、合焦していなければ＃６０へ分岐する。＃６０ではピント位置へ撮影レンズ４が駆動された後、＃４５へプログラムはジャンプする。＃５５でＡＦ完了フラグＡＦＥＦが１にされる。＃６５では＃３５で得られた測光値、フィルム感度および＃４５のＡＦの結果得られた距離情報をもとにＡＥ演算が行なわれる。＃７０ではＣＣＤ４１の露光量が設定される。
　【０１１２】　＃７５でシャッタボタンの第２ストロークのスイッチＳ２がＯＮされているかどうかがチェックされる。スイッチＳ２がＯＮであれば、プログラムは＃１０５へ行き、ＯＮでなければ＃８０へ分岐する。＃８０ではスイッチＳ１がＯＮかどうかを判断する。スイッチＳ１がＯＮであれば、プログラムは＃２５へジャンプする。ＯＮでなければシャッタボタンが全く押されていないので、＃８５で一定時間経過しているかどうかをタイマでチェックする。一定時間経過していれば測光回路３、ＡＦ検出モジュール１３、手ブレ補正コントローラ１５等の回路の電源をＯＦＦ（＃１００）してから＃５の待機状態へプログラムはジャンプする。一定時間経過しなければ、ＡＦ完了フラグＡＦＥＦが０に設定され（＃９０）、プログラムは＃８０へ進む。
　【０１１３】　＃１０５では、シャッタボタンの第２ストロークが押されているのでレリーズ信号がＨレベルにされ、コントロールＣＰＵにその旨が知らされる。＃１１０以降は撮影レンズ４の絞りを＃６５のＡＥ演算で求めた絞り値まで絞り込む（＃１１０）。ブレ検出信号がＨレベルにされ、コントロールＣＰＵのブレ検出シーケンスがスタートされる（＃１２０）。ＡＦミラー８が退避され（＃１２５）、絞り込み測光が行なわれ（＃１３０）、ＡＥ演算を行なったシャッタ速度が修正される（＃１３５）。
　【０１１４】　＃１４０ではコントロールＣＰＵからの露出許可信号がＨレベルになるのを待つ。露出許可信号がＨレベルになれば、シャッタ幕１０が走行され、露出制御が行なわれる（＃１４５）。露光が終われば、原点復帰信号が撮影レンズ４に出力され（＃１５０）、補正レンズ２０が原点位置へ戻され、ブレ検出信号がＬレベルにされて露光が終了したことがコントロールＣＰＵへ知らされる（＃１５５）。
　【０１１５】　フィルムの巻き上げを行ない（＃１６０）、連写モードかどうかが判断される（＃１６５）。連写モードでなければ、＃１８０へプログラムは分岐し連写モードであれば＃１７０へ行き、スイッチＳ２がＯＮかどうかが判断される。ここでスイッチＳ２がＯＦＦであれば、連写モードではあるが連写しないのでプログラムは＃１８０へ分岐する。スイッチＳ２がＯＮであれば、連写を行なうので、ブレ検出信号がＨレベルにされ（＃１７５）、プログラムは＃１３０へジャンプする。
　【０１１６】　＃１８０以降は、ＡＦミラー８が検出位置へ戻され（＃１８０）、撮影レンズ４の絞りが開放され（＃１８５）、レリーズ信号がＬレベルにされて（＃１９０）、コントロールＣＰＵ６３にその旨が知らされる。Ｓ２がＯＦＦになるのを待ち（＃２０５）、プログラムは＃８０へジャンプして次の撮影に備えられる。」
　
　そうすると、上記引用刊行物１における前記摘記事項及び添付図面における記載からみて、引用刊行物１には、次の発明（以下、これを「
引用発明１
「シャッタボタンの第１ストロークでＯＮし、測光およびＡＦ動作を行なうスイッチＳ１と、シャッタボタンの第２ストロークでＯＮするスイッチＳ２と、ブレ検出用のブレ検出光学系１８及びブレ検出センサ２９と、該ブレ検出センサ２９が出力する撮像データに基づいて、被写体像のブレのデータを演算する演算器５５と、該演算器５５が出力するブレのデータに基づいて、カメラの撮影レンズ４のブレ補正レンズ２０をブレ補正レンズ駆動装置２１により駆動してブレ補正を行なう手ブレ検出補正手段１２と、メインＣＰＵ１とを備えるブレ検出及び補正が可能なカメラにおいて、
　前記手ブレ検出補正手段１２が、さらにブレ演算を行うための前記演算器５５やブレ補正レンズ２０を制御するためのコントロールＣＰＵ６３を有し、
　前記メインＣＰＵ１のシーケンスにおいて、ステップ＃５のループによりレリーズボタンの第１ストロークでスイッチＳ１がオンになるのを待機し、スイッチＳ１がオンになると、測光回路３、ＡＦ検出モジュール１３、手ブレ補正コントローラー１５など必要な回路の電源が投入され、タイマがリセットされてスタートした後、レンズデータ入力後、ステップ＃３２で撮影レンズ４の焦点距離ｆＬに適した補正周期ＴＳが決定され、ステップ＃３５で開放測光が行なわれ、＃４５でＡＦ検出が行われ、ステップ＃６５でＡＥ演算が行なわれ、ステップ＃７５でシャッタボタンの第２ストロークのスイッチＳ２がＯＮされているかどうかがチェックされ、スイッチＳ２が、ＯＮでなければ、ステップ＃８０でスイッチＳ１がＯＮかどうかを判断され、スイッチＳ１がＯＮでなければシャッタボタンが全く押されていないので、ステップ＃８５で一定時間経過しているかどうかをタイマでチェックされ、一定時間経過しなければ、プログラムは前記ステップ＃８０へ戻り、一定時間経過していれば、ステップ＃１００で測光回路３、ＡＦ検出モジュール１３、手ブレ補正コントローラ１５等の回路の電源をＯＦＦしてから、プログラムが前記ステップ＃５の待機状態へ戻るようにした、ブレ検出及び補正が可能なカメラ」
　
イ　当審が通知した平成１８年２月２４日付の拒絶理由の中で「引用例１」として提示した上記特開平４−１１０８３５号公報（以下、「
引用刊行物２
「２．特許請求の範囲
　（１）カメラの振れを検出するセンサと、該センサの出力より手振れ量を検出する手振れ検出手段と、撮影レンズ群の光軸を偏心させる補正光学手段と、該補正光学手段を所定の位置にロック或はそのロック状態を解除するロック手段と、前記手振れ検出手段よりの出力に基づいてロックの解除された前記補正光学手段を駆動し、像振れ補正を行う像振れ補正手段とを備えた像振れ補正機能付きカメラにおいて、レリーズ釦操作に応答した撮影準備動作開始用のスイッチ及び撮影動作開始用のスイッチの状態変化に連動させて前記ロック手段を動作させるロック制御手段を設けたことを特徴とする像振れ補正機能付きカメラ。」（１頁左欄４〜１７行）
「（発明の利用分野）　本発明は、撮影レンズ群の光軸を偏心させる補正光学手段と、該補正光学手段を所定の位置にロック或はそのロック状態を解除するロック手段と、手振れ検出手段よりの出力に基づいてロックの解除された前記補正光学手段を駆動し、像振れ補正を行う像振れ補正手段とを備えた像振れ補正機能付きカメラの改良に関するものである。」（１頁右欄６〜１３行）
「（発明の実施例）　以下、本発明は図示の実施例に基づいて詳細に説明する。
　第１図は本発明の第１の実施例を示すブロック図であり、該図において、１はカメラの振れ情報を出力する後述のセンサの制御駆動を行うセンサ制御、駆動回路であり、２はカメラ内に組込まれたカメラ振れ検出用のセンサ、３は該センサ３の出力より手振れ量を検出する手振れ量検出回路である。４は手振れ量検出回路３よりの手振れ量を絶対変位として換算する為の手振れ量絶対変位変換回路、５は該回路４にて絶対変位されたアナログ量をディジタル値に変換する為の高速Ａ／Ｄ変換回路、６はカメラの撮影準備動作，撮影動作，振れ検出動作の制御，補正光学機構の駆動制御やロック機構の制御を行うシーケンス制御回路である。７は検出される手振れ量に応じて作動する像振れ補正装置であり、７−ａが実際の補正レンズを動かすことによって振れを補正し、像面上での像を安定させる補正光学機構であり、補正レンズを支持する部材に被係合部を持つ。７−ｂは補正レンズをある位置にロックする係合部を持ち、前記被係合部に対して係合に依るロック及びその係合の解除を行うロック機構である。８は実際の補正レンズの位置を検出する補正レンズ位置検出装置、９はその補正レンズの位置をディジタル値に変換する高速Ａ／Ｄ変換回路である。」（３頁右上欄５行〜同頁左下欄１１行）
「次に、第４図のフローチャートを用いて動作説明を行う。
　先ず撮影準備を示すＳＷ１がオンすると、ＤＸコードＴ／Ｗ（テレ／ワイド）スイッチ等の撮影準備を示すスイッチ入力判定を行い、各種の警告表示用のＬＥＤを消灯し、カメラ撮影の為のＢＣ（バッテリチエツク）１を行い、次に手振れ検出系の動作を保証する為のＢＣ２を行う（ステップ２０１→２０２→２０３→２０４→２０５）。その結果ＢＣ１がＮＧ（動作保証電圧以下）或はＢＣ２もＮＧであれば、警告表示（１）又は警告表示（２）を行い、もとのＳＷ１待機動作に戻る（ステップ２０６→２０７→２０１又は２０８→２０９→２０１）。一方、ＢＣ１、ＢＣ２ともにＯＫであれば、シーケンス制御回路６は不図示の測光及び測距回路に信号を送り、測距、測光動作を指示する（ステップ２０６→２０８→２１０→２１１）。そして先のスイッチ入力（ステップ２０２にて）されたデータをもとにそれら測光，測距結果を演算し、ストロボ使用時であり且つストロボが充電していなければ、ストロボ充電を行い（ステップ２１３→２１４）、ストロボ未使用か或はストロボ充電していれば、次に補正光学機構７−ａの動作の為のＢＣ３を行い（ステップ２１３→２１５）、ＮＧであれば警告表示（３）を行い（ステップ２１６→２２１）、ＯＫであれば警告表示（３）を解除（ステップ２１６→２１７）する。
　次に、カメラ外部にある像振れ補正装置を作動させるか否かのスイッチ状態を判定して、該スイッチがオンであれば該像振れ補正装置内のロック機構７−ｂのロック解除を前述のようにして行う（ステップ２１８→２１９）。つまり、ロック機構７−ｂにある第３図のプランジャー型ラッチソレノイドへの通電によって行われ、次いで補正光学機構７−ａにて像振れ補正効果が得られるべく補正レンズを動作させる（ステップ２２０）。また、像振れ補正装置を作動させるか否かのスイッチがオフであればロック機構７−ｂのロック解除も像振れ補正動作も行わない。
　次に、撮影動作開始を示すＳＷ２がオンすると、レンズのＡＦ駆動を行い、シャッタ開閉の一連の露光動作を行う（ステップ２２２→２２３→２２４）。この撮影動作の完了後、前記補正方角手段による像振れ補正動作を停止し、その後内のロック機構７−ｂを作動させ、補正レンズの位置をロックする（ステップ２２５→２２６）。その後フィルム巻上げを行う（ステップ２２７）。」（５頁左下欄９行〜６頁左上欄１５行）
　
ウ　当審が通知した平成１８年２月２４日付の拒絶理由の中で「引用例４」として提示した特開平２−２８０１３１号公報（以下、「
引用刊行物３
「１０はカメラ本体内に設けられた全体シーケンスの制御を行うマイコン（ＣＰＵ１）、１１はレリーズ釦の半押しによりＯＮするＳＷ（ＳＷ１）、１２はレリーズ釦の全押しによりＯＮするレリーズＳＷ（ＳＷ２）、１３は絞り込みモード選択時にＯＮとなるＳＷ（ＳＷ３）であり、外部より撮影者の好みに応じて選択される。」（３頁右上欄１２〜１８行）
「２３はレンズ内の制御を司どるマイコン（ＣＰＵ２）、２４は像ブレ防止起動用ＳＷ（ＺＳＷ）であり、ＯＮの時像ブレ防止動作が作動する。」（３頁左下欄１３〜１５行）
「第３図（ａ）の＃５０にてレリーズ釦の半押しか否かの検知（ＳＷ１がＯＮしているか否か）を行い、検知したなら＃５１にてＡＦＬＧ０，ＣＦＬＧ０のフラグの初期設定として「０」を設定する。」（４頁左上欄２〜６行）
「次に、＃８７にて像ブレ防止起動用ＳＷ２４（ＺＳＷ）の検知を行い、該ＺＳＷがＯＮならば、＃８８にてまずカメラ側に伝えるべきセンタリングの有無のフラグであるＺＦＬＧを「１」とするとともに、ＣＰＵ２のＰ０端子の出力をハイレベルにする。」（５頁左下欄１５〜２０行）
「＃８７にてＺＳＷがＯＦＦならば、＃８９にてフラグＺＦＬＧを「０」とし、Ｐ０端子にローレベルの出力を行い、アナログＳＷ３０をＯＦＦさせ、像ブレ防止動作は行わない。」（５頁右下欄９〜１２行）
　
エ　当審が通知した平成１８年２月２４日付の拒絶理由の中で「引用例５」として提示した実願平４−６２８５１号（実開平６−１６９４６号）のＣＤ−ＲＯＭ（以下、「
引用刊行物４
「【０００１】【産業上の利用分野】　本考案は、撮影時に生じる手ブレを検知し、その補正を行なう手ブレ補正装置に関するものである。
　【０００２】【従来の技術】　一般に、手持ち撮影をする場合、特に、焦点距離の長いレンズを使用したときや遅いシャッタスピードを使用したときには、手ブレが生じやすく、写真の画質を損なうこととなる。これを防止するために、撮影光学系の一部又は全部を光軸と直交する方向に移動させて像ブレを補正することが知られている。
　【０００３】【考案が解決しようとする課題】　しかし、前述した手ブレ補正装置は、流し撮り撮影などのように、撮影者が意図的にカメラを振った場合に、意図に反して、手ブレ補正を行なってしまうこととなる。このような問題を解決するために、ブレ補正を行うか否かを選択するオンオフスイッチをカメラに設けた場合に、焦点調節からシャッタレリーズまでの一連の撮影動作から外れたブレ補正モードの切り替え動作を行うために、操作性を損なうこととなる。すなわち、焦点調節リング又はシャッタレリーズボタンに添えた手を一旦離す必要があり、操作性が悪いという問題があった。
　【０００４】　そこで、本考案は、前述した従来の課題を解決し、操作性の優れた手ブレ補正装置を提供することを目的としている。」
「【００１３】　ブレ補正制御手段６は、ブレ検出手段３の出力に基づいて、ブレ補正レンズ群Ｌ３の移動を制御する手段である。シフト機構１０は、ブレ補正制御手段６の出力に従って、ブレ補正レンズ群Ｌ３を光軸に対して直角方向にシフトさせる機構である。ブレ補正モード切り替えスイッチ１２は、ブレ補正を行うモードと行わないモードを切り替えるスイッチであり、焦点調節リング１３上に設けられている。ここで、焦点調節リング１３上とは、リング等の部材の上又は横などに、その部材に直接設けられていることをいう。」
「【００１５】　図２は、実施例におけるブレ補正モード切り替え手段を示す構成図である。ブレ補正モード切り替えスイッチ１２は、焦点調節リング１３上に設けられている。具体的には、焦点調節リング１３には、スライドスイッチ１４が保持されており、スライドスイッチ１４には、一体に摺動ブラシ１５が設けられている。」
「【００１７】　ついで、ブレ補正モード切り替えスイッチ１２により設定されたモードを識別する（Ｓ２３）。ブレ補正モード切り替えスイッチ１２がオン状態（ブレ補正を行なう）の場合には、ブレ限界設定手段４は、入力されたこれらの信号からブレ限界値を決定し（Ｓ２４）、比較判定手段５に信号情報を入力する。ブレ限界値は、前述したようにブレ補正を加味して決定される。ブレ検出手段３は、ブレを検出して（Ｓ２５）、振動に応じて信号情報を比較判定手段５に入力する。ブレ補正制御手段６は、ブレ検出手段３の信号情報に従って、シフト機構１０によりブレ補正レンズ群Ｌ３を移動してブレ補正を制御する（Ｓ２６）。
　【００１８】　ブレ補正モード切り替えスイッチ１２がオフ状態（ブレ補正を行なわない）の場合には、ブレ補正を加味しないブレ限界値が決定され（Ｓ２４’）、ブレ検出（Ｓ２５’）が行なわれる。」
　
オ　本願特許出願前に頒布された刊行物である特開平４−２７９２３号公報（以下、「
周知技術文献
「【請求項２】レリーズ釦の半押し操作で電源が投入され、該半押し操作が解除されても所定の電源保持時間が経過するまでは電源を保持する半押しタイマを有するカメラにおいて、
　前記半押し操作の開始に伴って計時を開始する計時手段と、
　撮影が行われるたびに前記半押し操作の開始から撮影までの撮影準備時間を前記計時手段の計時結果から求めて記憶する記憶手段と、
　前記記憶された撮影準備時間から前記所定の電源保持時間を決定する決定手段とを具備することを特徴とする半押しタイマを有するカメラ。」
「【０００１】【産業上の利用分野】　本発明は、半押しタイマを有するカメラに関する。
　【０００２】【従来の技術】　通常のＡＥカメラでは、レリーズ釦をレリーズ位置の手前の所定位置まで操作（半押し操作）すると半押しスイッチがオンし、これによりカメラ内の測光回路が作動して被写体輝度を検出する。そして、この被写体輝度に基づいて演算された露出値（絞り値やシャッタ速度）を例えば表示回路を介して液晶表示装置等に表示するカメラも知られている。上記半押しタイマとは、その後に半押し操作が解除されて半押しスイッチがオフしても所定の電源保持時間（例えば８秒）が経過するまでは電源を保持するものである。したがって半押し解除後も所定時間は上記露出値の表示が継続して行われるので、例えばこの露出値を見ながら手動により絞り値やシャッタ速度を調整（露出調整）する際に便利である。」
「【００１１】　２５は半押しスイッチ（電源投入スイッチ）であり、一端は接地され、他端はプルアップ抵抗２７を介して電池１３のプラス側に接続されるとともに、マイクロコンピュータ１１の入力ポートＩ２に接続される。半押しスイッチ２５は不図示のレリーズ釦の半押し位置を通過した位置よりも深い押下（半押し操作）に伴ってオンし、上述のメインスイッチ１５がオンしていればこの半押しスイッチ２５のオンによりカメラの電源が所定の電源保持時間だけ保持されるようになっている。」
「【００２７】　ここまでの手順によれば、メインスイッチ１５のオン後に半押し操作によって半押しスイッチ２５がオンされると、ステップＳ１０７でパワー信号が出力されてトランジスタ１９がオンし、各回路が作動可能な状態となるとともに、ステップＳ１０８で第一計時が開始される。その後、メインスイッチ１５がオフされず、かつレリーズスイッチ２９がオンされなければ、ステップＳ１１２で露出演算が行われるとともに、ステップＳ１１３でその露出値が表示され、ステップＳ１０３に戻る。そして、ステップＳ１０３で半押しスイッチ２５のオフが判定されるとステップＳ１０９にジャンプし、その後、ステップＳ１０９で第一計時時間ｔ１が所定の電源保持時間τとなったことが判定されるまでは継続的に露出演算と露出値の表示が行われることになる。すなわち、レリーズ釦の半押し操作が行われると、その後に半押し操作が解除されても、上記電源保持時間τが経過するまでは電源が保持されて露出値の表示が継続する。この電源保持時間τは、後述するステップで決定されるものであるが、上述したように当初はτｏ（８秒程度の時間）とされている。」
　
（２）本願発明１について
ア　対比
　本願発明１と前記引用発明１とを比較すると、引用発明１における「ブレ検出用のブレ検出光学系１８及びブレ検出センサ２９」、「カメラの撮影レンズ４のブレ補正レンズ２０」、「ブレ補正レンズ駆動装置２１」、「ブレ演算を行うための前記演算器５５やブレ補正レンズ２０を制御するためのコントロールＣＰＵ６３」及び「ブレ検出及び補正が可能なカメラ」のそれぞれが、本願発明１の「手振れを検出する振れ検出部」、「撮影光学系の少なくとも一部を移動させて、振れ補正を行う振れ補正光学系」、「前記振れ補正光学系を駆動して振れ補正を行う振れ補正駆動部」、「前記振れ検出部からの出力に基づいて、前記振れ補正駆動部の動作を制御する振れ補正制御部」及び「撮影装置」のそれぞれに相当する。
　また、引用発明１においては、ステップ＃５のループによりレリーズボタンの第１ストロークでスイッチＳ１がオンになるのを待機し、スイッチＳ１がオンになると、測光回路３、ＡＦ検出モジュール１３、手ブレ補正コントローラー１５など必要な回路の電源が投入され、タイマがリセットされてスタートした後、ＡＦ検出、ＡＥ演算等の撮影準備動作が開始されることから、引用発明１における「シャッタボタンの第１ストロークでＯＮし、測光およびＡＦ動作を行なうスイッチＳ１」が、本願発明１の、撮影準備作動スイッチのオン動作により撮影準備動作が開始されることになる「撮影準備動作を開始させる撮影準備作動スイッチ」に相当するといえる。
　そして、引用発明１においては、ステップ＃８５で一定時間経過しているかどうかがタイマでチェックされ、一定時間経過しなければ、プログラムは前記ステップ＃８０へ戻り、一定時間経過していれば、ステップ＃１００で測光回路３、ＡＦ検出モジュール１３、手ブレ補正コントローラ１５等の回路の電源をＯＦＦにしてから、プログラムが前記ステップ＃５の待機状態へ戻るようになっているのであり、ステップ＃１００での測光回路３、ＡＦ検出モジュール１３、手ブレ補正コントローラ１５等の回路の電源がＯＦＦとなることは、とりもなおさず、タイマに設定された一定時間が経過したときには、手ブレ補正コントローラ１５等の回路の電源のみならず、測光回路３、ＡＦ検出モジュール１３等の撮影準備動作の電源もＯＦＦにされて、振れ補正駆動部の動作が停止するだけではなく、測光回路３、ＡＦ検出モジュール１３等の撮影準備動作も停止することを意味している。
　そうすると、引用発明１における前記「タイマ」は、本願発明１の「設定された時間に達したときに、撮影準備動作を停止する撮影準備停止タイマー」に相当するといえるとともに、引用発明１における前記「タイマ」は、本願発明１の「前記撮影準備停止タイマーのカウント時間が前記設定された時間に達したときに前記振れ補正駆動部の動作を停止する」機能をも併せて有しているといえる。
　さらに、引用発明１においては、ステップ＃５でスイッチＳ１がオンである場合に、ステップ＃１５に進んで回路がオンとなり、ステップ＃２５でタイマーがリセットスタートし、ついでステップ＃３２において補正周期ＴＳを決定していることから、スイッチＳ１がオンになると、カメラの撮影レンズ４のブレ補正レンズ２０をブレ補正レンズ駆動装置２１により駆動してブレ補正を行なう手ブレ検出補正手段１２も動作することになるから、引用発明１における「スイッチＳ１がオンになると、測光回路３、ＡＦ検出モジュール１３、手ブレ補正コントローラー１５など必要な回路の電源が投入され、タイマがリセットされてスタートした後、レンズデータ入力後、ステップ＃３２で撮影レンズ４の焦点距離ｆＬに適した補正周期ＴＳが決定され、ステップ＃３５で開放測光が行なわれ、＃４５でＡＦ検出が行われ、ステップ＃６５でＡＥ演算が行なわれ、ステップ＃７５でシャッタボタンの第２ストロークのスイッチＳ２がＯＮされているかどうかがチェックされ、スイッチＳ２が、ＯＮでなければ、ステップ＃８０でスイッチＳ１がＯＮかどうかを判断され、スイッチＳ１がＯＮでなければシャッタボタンが全く押されていないので、ステップ＃８５で一定時間経過しているかどうかをタイマでチェックされ、一定時間経過しなければ、プログラムは前記ステップ＃８０へ戻り、」の一連のフローは、本願発明１の「前記カウント中は前記振れ補正駆動部の動作を継続し、」のフローに相当するといえる。
　そうすると、本願発明１と引用発明１とは、「手振れを検出する振れ検出部と、撮影光学系の少なくとも一部を移動させて、振れ補正を行う振れ補正光学系と、前記振れ補正光学系を駆動して振れ補正を行う振れ補正駆動部と、前記振れ検出部からの出力に基づいて、前記振れ補正駆動部の動作を制御する振れ補正制御部と、撮影準備動作を開始させる撮影準備作動スイッチと、前記撮影準備作動スイッチのオン動作により、前記撮影準備動作が開始された後に、その撮影準備作動スイッチの状態が継続している時間をカウントしてそのカウント時間が設定された時間に達したときに、前記撮影準備動作を停止する撮影準備停止タイマーとを備えた撮影装置において、前記撮影準備作動スイッチの状態が継続している前記カウント中は前記振れ補正駆動部の動作を継続し、前記撮影準備停止タイマーのカウント時間が前記設定された時間に達したときに前記振れ補正駆動部の動作を停止する撮影装置」である点で一致し、次の点で構成が相違する。
　
相違点１
　
相違点２
　
相違点３
　
イ　相違点についての検討
（ア）相違点１について
　上記引用刊行物２に、「次に、カメラ外部にある像振れ補正装置を作動させるか否かのスイッチ状態を判定して、該スイッチがオンであれば該像振れ補正装置内のロック機構７−ｂのロック解除を前述のようにして行う（ステップ２１８→２１９）。つまり、ロック機構７−ｂにある第３図のプランジャー型ラッチソレノイドへの通電によって行われ、次いで補正光学機構７−ａにて像振れ補正効果が得られるべく補正レンズを動作させる（ステップ２２０）。また、像振れ補正装置を作動させるか否かのスイッチがオフであればロック機構７−ｂのロック解除も像振れ補正動作も行わない。」（５頁右下欄１６行〜６頁左上欄７行）と記載されている。
　また、上記引用刊行物３にも、「２４は像ブレ防止起動用ＳＷ（ＺＳＷ）であり、ＯＮの時像ブレ防止動作が作動する。」（３頁左下欄１４〜１５行）、「次に、＃８７にて像ブレ防止起動用ＳＷ２４（ＺＳＷ）の検知を行い、該ＺＳＷがＯＮならば、＃８８にてまずカメラ側に伝えるべきセンタリングの有無のフラグであるＺＦＬＧを「１」とするとともに、ＣＰＵ２のＰ０端子の出力をハイレベルにする。」（５頁左下欄１５〜２０行）及び「＃８７にてＺＳＷがＯＦＦならば、＃８９にてフラグＺＦＬＧを「０」とし、Ｐ０端子にローレベルの出力を行い、アナログＳＷ３０をＯＦＦさせ、像ブレ防止動作は行わない。」（５頁右下欄９〜１２行）と記載されている。
　さらに、上記引用刊行物４の段落【００１３】にも「ブレ補正モード切り替えスイッチ１２は、ブレ補正を行うモードと行わないモードを切り替えるスイッチであり、」と記載されている。
　引用刊行物２、引用刊行物３及び引用刊行物４に開示されている上記技術事項からみて、「像振れ補正装置を作動させるか否かのスイッチ」、「像ブレ防止起動用ＳＷ２４（ＺＳＷ）」、「ブレ補正モード切り替えスイッチ１２」は、本願発明１の「振れ補正を行うか否かを設定する振れ補正作動スイッチ」に相当するものであり、本願特許出願時の従来周知の技術であるということができる。
　そうしてみると、引用発明１に前記周知技術を付加することにより、引用発明１の「ブレ検出及び補正が可能なカメラ」に、本願発明１の相違点１に係る前記「振れ補正を行うか否かを設定する振れ補正作動スイッチ」を備えるようにすることは、当業者が困難性を伴うことなく容易に想到できたものである。
　
（イ）相違点２について
　本件審判請求人の出願に係る本願明細書の発明の詳細な説明の段落【０００２】に、「【従来の技術】　従来、この種の撮影装置は、ＡＦ装置を備えたものが一般的になっており、さらに、撮影時の像振れを補正する振れ補正装置を付加することが提案されている。この振れ補正装置は、手振れ等による光軸の角度変動を検出し、その検出結果に基づいて、撮影画像の像振れを補正する装置であって、例えば、特開平２−６６５３５号（単玉レンズ光学系の例）、特開平２−１８３２１７号（内焦式望遠レンズの撮影光学系の一部のシフトによる像補正の例）等が知られている。」と記載され、それに続く段落【０００３】に、「一方、このような撮影装置には、半押しタイマーが搭載されていた。この半押しタイマーは、半押しスイッチのオンにより、撮影準備動作を開始した後に、その半押しスイッチのオフ状態が継続している時間をカウントして、カウント時間が設定された時間に達したときに、その撮影装置の撮影準備動作を停止する装置である。」と記載されていて、前記「半押しスイッチのオンにより、撮影準備動作を開始した後に、その半押しスイッチのオフ状態が継続している時間をカウントして、カウント時間が設定された時間に達したときに、その撮影装置の撮影準備動作を停止する半押しタイマー」が、従来周知の技術であることが示唆されている。
　そして、本願特許出願前に頒布された上記周知技術文献〔特開平４−２７９２３号公報〕の段落【０００２】に、従来の技術として、「通常のＡＥカメラでは、レリーズ釦をレリーズ位置の手前の所定位置まで操作（半押し操作）すると半押しスイッチがオンし、これによりカメラ内の測光回路が作動して被写体輝度を検出する。そして、この被写体輝度に基づいて演算された露出値（絞り値やシャッタ速度）を例えば表示回路を介して液晶表示装置等に表示するカメラも知られている。上記半押しタイマとは、その後に半押し操作が解除されて半押しスイッチがオフしても所定の電源保持時間（例えば８秒）が経過するまでは電源を保持するものである。したがって半押し解除後も所定時間は上記露出値の表示が継続して行われるので、例えばこの露出値を見ながら手動により絞り値やシャッタ速度を調整（露出調整）する際に便利である。」が記載され、また、同じく段落【００２７】にも、「ステップＳ１０３で半押しスイッチ２５のオフが判定されるとステップＳ１０９にジャンプし、その後、ステップＳ１０９で第一計時時間ｔ１が所定の電源保持時間τとなったことが判定されるまでは継続的に露出演算と露出値の表示が行われることになる。すなわち、レリーズ釦の半押し操作が行われると、その後に半押し操作が解除されても、上記電源保持時間τが経過するまでは電源が保持されて露出値の表示が継続する。」が記載されていることは、前記「半押しタイマー」が、本願特許出願時の周知技術であることを裏付けるものである。
　そして、前記「半押しタイマー」が、本願発明１の「撮影準備作動スイッチのオフ状態が継続している時間をカウントする撮影準備停止タイマー」に相当することは明らかである。
　そうしてみると、引用発明１の「ブレ検出及び補正が可能なカメラ」におけるタイマを、従来より周知の前記「半押しスイッチのオンにより、撮影準備動作を開始した後に、その半押しスイッチのオフ状態が継続している時間をカウントして、カウント時間が設定された時間に達したときに、その撮影装置の撮影準備動作を停止する半押しタイマー」とすることにより、本願発明１の相違点２に係る前記「撮影準備作動スイッチの『オフ』状態が継続している時間をカウントする撮影準備停止タイマー」の構成とすることは、当業者が困難性を伴うことなく容易に想到できたことである。
　
（ウ）相違点３について
　本願発明１の相違点３は、「撮影準備作動スイッチのオフ状態が継続している時間をカウントしているのか、あるいは撮影準備作動スイッチのオン状態が継続している時間をカウントしているのか」の相違に基づくものであるから、前記相違点３は、前記した本願発明１の相違点２における「撮影準備停止タイマー」に起因しているといえる。
　しかして、前記「（イ）相違点２について」欄において前述したとおり、本願発明１の「撮影準備作動スイッチのオフ状態が継続している時間をカウントする撮影準備停止タイマー」は、従来より周知のものであり、引用発明１の「ブレ検出及び補正が可能なカメラ」におけるタイマを、従来周知の「撮影準備作動スイッチのオフ状態が継続している時間をカウントする撮影準備停止タイマー」とすることが、当業者に容易に想到できたことであることを参酌すれば、本願発明１の相違点３についても、本願発明１の相違点２についてと同様に、引用発明１のタイマとして、従来周知の前記「半押しスイッチのオンにより、撮影準備動作を開始した後に、その半押しスイッチのオフ状態が継続している時間をカウントして、カウント時間が設定された時間に達したときに、その撮影装置の撮影準備動作を停止する半押しタイマー」を採用することにより、本願発明１の相違点３に係る前記「撮影準備作動スイッチのオフ状態が継続している前記カウント中は前記振れ補正駆動部の動作を継続する」の構成は、当業者が困難性を伴うことなく容易に想到できたことというべきである。
　
　そして、本願発明１の奏する作用効果は、引用発明１及び周知技術から予測できる範囲内のものであり、格別のものということができない。
　
ウ　まとめ
　したがって、本願発明１は、引用発明１及び周知技術に基いて当業者が容易に発明をすることができたものである。
　
第５　むすび
　以上のとおりであり、本願発明１は、特許法第２９条第２項の規定により、特許を受けることができない。
　したがって、他の請求項に係る発明について検討するまでもなく、本願は、当審が通知した上記拒絶の理由によって拒絶すべきものである。
　
　よって、結論のとおり審決する。